(57)【要約】【課題】別部品を用いることなく均一な面発光を実現することができる導光体を提供すること。【解決手段】入射面１ｅから入射するＬＥＤ（光源）２からの光を内部で導く過程で反射させて出射面１ｄから出射させることによって発光する導光体１を、平行な２つの第１平面１ａ及び第２平面１ｂと、これらの第１及び第２平面１ａ，１ｂに対して直角な第３平面１ｃと、該第３平面１ｃに対向する第４平面１ｄを備え、前記第３平面１ｃを反射カット面とするとともに、前記第４平面１ｄを出射面として光拡散処理を施すことによって構成する。又、前記入射面１ｅから遠ざかるに従って前記第３平面１ｃと前記第４平面１ｄとの距離を徐々に小さく設定する。【選択図】図２
2018085269.tif 000002
【特許請求の範囲】
【請求項１】
入射面から入射する光源からの光を内部で導く過程で反射させて出射面から出射させることによって発光する導光体であって、
平行な２つの第１及び第２平面と、これらの第１及び第２平面に対して直角な第３平面と、該第３平面に対向する第４平面を備え、前記第３平面を反射カット面とするとともに、前記第４平面を出射面として光拡散処理を施して構成されることを特徴とする導光体。
【請求項２】
前記入射面から遠ざかるに従って前記第３平面と前記第４平面との距離を徐々に小さく設定したことを特徴とする請求項１記載の導光体。
【発明の詳細な説明】
【技術分野】
【０００１】
本発明は、主として車両用灯具に用いられる導光体に関するものである。
【背景技術】
【０００２】
近年、テールランプ等の車両用灯具の光源には、発光効率が高くて長寿命であるＬＥＤ（発光ダイオード）が使用されつつあるが、このＬＥＤから出射する光は強い指向性を示す。このため、この指向性の強い光を導光体に入射させ、導光体内で光を導く過程で反射させて外部に出射させることによって導光体の全体を発光させることが行われている。このような導光体を用いた車両用灯具として、特許文献１には図４及び図５に示すものが提案されている。
【０００３】
即ち、図４は特許文献２において提案された車両用灯具の平断面図、図５は図４のＣ−Ｃ線断面図であり、図示の車両用灯具１０１は、サイドターンシグナルランプであって、ハウジング１０２とその開口部を覆う透明なアウタカバー１０２によって画成された灯室１０３内に、光源である２つのＬＥＤ１０４と、これらのＬＥＤ１０４から出射する光によって発光する導光体１０５を収容して構成されている。
【０００４】
上記導光体１０５は、細長い丸棒状の部材であって（図５参照）、ＬＥＤ１０４に対向する長手方向一端には入射部１０５ａが形成されており、長手方向他端には出射部１０５ｂが形成されている。そして、出射部１０５ｂの裏面には反射面１０５ｃが形成されている。
【０００５】
以上のように構成された車両用灯具１００において、ＬＥＤ１０４が起動されて発光すると、その光は、導光体１０５の入射部１０５ａから該導光体１０５の内部に入射し、入射した光は、導光体１０５の内部を全反射を繰り返しながら出射部１０５ｂに向かって進む。そして、出射部１０５ｂへと達した光は、図４に示すように、出射部１０５ｂの裏面に形成された反射面１０５ｃで反射し、その反射光がアウタカバー１０２を通過して外部へと出射するため、導光体１０５の出射部１０５ｂが発光する。
【先行技術文献】
【特許文献】
【０００６】
【特許文献１】特開２０１５−０７７９１１号公報
【発明の概要】
【発明が解決しようとする課題】
【０００７】
ところで、丸棒状の導光体を用い、その外周面の一部を出射面とする車両用灯具において、出射面の全体を均一に発光させるために該出射面にシボ加工等の拡散処理を施した場合、導光体内に入射した光が十分導光されない間に途中で出射面から出射するため、導光体の全体を均一に発光させることができない。
【０００８】
従って、導光体の均一発光を実現するには、例えばシボ加工を施したシボレンズを追加する必要があり、このように別部品であるシボレンズを追加すると、金型費や組立工数が増えて車両用灯具のコストアップを招くという問題が発生する。
【０００９】
本発明は上記問題に鑑みてなされたもので、その目的とする処は、別部品を用いることなく均一な面発光を実現することができる導光体を提供することにある。
【課題を解決するための手段】
【００１０】
上記目的を達成するため、請求項１記載の発明は、入射面から入射する光源からの光を内部で導く過程で反射させて出射面から出射させることによって発光する導光体を、平行な２つの第１及び第２平面と、これらの第１及び第２平面に対して直角な第３平面と、該第３平面に対向する第４平面を備え、前記第３平面を反射カット面とするとともに、前記第４平面を出射面として光拡散処理を施して構成したことを特徴とする。
【００１１】
請求項２記載の発明は、請求項１記載の発明において、前記入射面から遠ざかるに従って前記第３平面と前記第４平面との距離を徐々に小さく設定したことを特徴とする。
【発明の効果】
【００１２】
請求項１記載の発明によれば、入射面から導光体の内部に入射した光は、該導光体の平行な第１平面と第２平面で交互に全反射を繰り返しながら導光体の内部を進み、その過程で第３反射面の制御カットによって反射して第４反射面に向かい、出射面である第４反射面から拡散しながら出射するため、シボレンズ等の別部品を用いることなく均一な面発光が実現することができる。このため、別部品の成形に要する金型費や別部品の組み立てのための工数を削減してコストダウンを図ることができる。
【００１３】
請求項２記載の発明によれば、導光体に入射した光は、入射面から遠ざかるに従って次第に減衰するが、第３平面と第４平面との距離を入射面から遠ざかるに従って徐々に小さく設定したため、光密度を導光体の全長に亘って略均一にすることができ、導光体の全体を均一に発光させることができる。
【図面の簡単な説明】
【００１４】
【図１】本発明に係る導光体の平面図である。
【図２】図１のＡ−Ａ線断面図である。
【図３】図２のＢ−Ｂ線断面図である。
【図４】特許文献１において提案された車両用灯具の平断面図である。
【図５】図４のＣ−Ｃ線断面図である。
【発明を実施するための形態】
【００１５】
以下に本発明の実施の形態を添付図面に基づいて説明する。
【００１６】
図１は本発明に係る導光体の平面図、図２は図１のＡ−Ａ線断面図、図３は図２のＢ−Ｂ線断面図であり、図示の導光体１は、テールランプ等の車両用灯具に設けられるものである。
【００１７】
図１に示すように、導光体１は、導光性の高いアクリル樹脂やポリカーボネイト樹脂等の透明樹脂によって弓状に一体成形されており、内部で光を導くための本体部１Ａは、図２及び図３に示すように、台形状の横断面を有している。ここで、本体部１Ａは、互いに平行な２つの第１平面（上面）１ａ及び第２平面（下面）１ｂと、これらの第１平面１ａ及び第２平面１ｂに対して直角を成す第３平面（垂直面）１ｃと、該第３平面１ｃに対向する第４平面（斜面）１ｄを備えている。そして、垂直な第３平面１ｃは、制御カット面とされ、この制御カット面１ｃには反射カット１ｃ１が全長に亘って形成されている。又、斜面状の第４平面１ｄは、出射面とされ、この出射面１ｄにはシボ加工や微細カット（１カットが１ｍｍ２以下）等の光拡散処理が全面に亘って施されている。
【００１８】
そして、図１に示すように、導光体１の本体部１Ａの長手方向一端面は平面状の入射面１ｅとされており、この入射面１ｅの近傍には、光源であるＬＥＤ２が対向配置されている。
【００１９】
又、本実施の形態では、図１〜図３に示すように、導光体１の本体部１Ａにおいては、入射面１ｅから遠ざかるに従って第３平面１ｃと第４平面１ｄとの距離（本体部１Ａの厚さ）が徐々に小さくなる（本体部１Ａの厚さが薄くなる）ように設定されている。尚、図２及び図３において、３はリフレクタである。
【００２０】
而して、以上の構成された導光体１を備える不図示の車両用灯具において、ＬＥＤ２が起動されてこれが発光すると、その光は、導光体１の入射面１ｅから該導光体１の内部に入射する。そして、導光体１の内部に入射した光は、該導光体１の平行な第１平面１ａと第２平面１ｂで交互に全反射を繰り返しながら導光体１の内部を長手方向に沿って進み、その過程で第３反射面１ｃに形成された反射カット１ｃ１で反射して出射面である第４平面１ｄに向かう。ここで、出射面である第４平面１ｄには、シボ加工や微細カット等の光拡散処理が施されているため、光は、第４平面１ｄから拡散しながら出射する。この結果、導光体１の第４平面１ｄの全体は均一に面発光するが、本実施の形態では、導光体１の出射面である第４平面１ｄに光拡散処理を施したため、シボレンズ等の別部品を用いることなく均一な面発光を実現することができる。従って、シボレンズ等の別部品の成形に要する金型費や別部品の組み立てのための工数を削減することができ、車両用灯具のコストダウンを図ることができる。
【００２１】
又、導光体１に入射した光は、入射面１ｅから遠ざかるに従って次第に減衰するが、本実施の形態では、第３平面１ｃと第４平面１ｄとの距離（本体部１Ａの厚さ）を入射面１ｅから遠ざかるに従って徐々に小さく（本体部１Ａの厚さを薄く）設定したため、光密度を導光体１の全長に亘って略均一にすることができ、これによって導光体１の全体を均一に発光させることができる。
【００２２】
尚、以上の実施の形態では、導光体１の出射面である第４平面１ｄの全体にシボ加工等の光拡散処理を施したが、第４平面１ｄに表示された文字や絵柄だけにシボ加工等の光拡散処理を部分的に施すようにしても良い。
【符号の説明】
【００２３】
１        導光体
１Ａ      導光体の本体部
１ａ      導光体の第１平面
１ｂ      導光体の第２平面
１ｃ      導光体の第３平面
１ｃ１    第３平面の反射カット
１ｄ      導光体の第４平面
１ｅ      導光体の入射面
２        ＬＥＤ（光源）
３        リフレクタ
【図１】
2018085269.tif 000003
【図２】
2018085269.tif 000004
【図３】
2018085269.tif 000005
【図４】
2018085269.tif 000006
【図５】
2018085269.tif 000007